(57)【要約】【課題】複数の装置から出力される信号を１つのＧＰＩＯポートで共用することのできる携帯端末を提供する。【解決手段】携帯端末は、複数の装置と、第１及び第２のＧＰＩＯポートを有し、前記複数の装置と通信を行う集積回路と、前記２つのＧＰＩＯポートと前記複数の装置との間に介在し、前記集積回路から前記複数の装置のうち第１の装置の電源をオンとするよう指示するための第１の制御信号が前記第１のＧＰＩＯポートから出力されている間は、当該第１の制御信号を前記第１の装置へ伝達し、且つ前記第１の装置から出力された信号を前記第２のＧＰＩＯポートへ伝達し、前記第１の装置の電源をオフとするよう指示するための第２の制御信号が出力されている間は、第２の装置から出力された信号を前記第２のＧＰＩＯポートへ伝達する制御回路とを備える。【選択図】図２
2013046272.tif 000002
【特許請求の範囲】
【請求項１】
複数の装置と、
第１及び第２のＧＰＩＯ（Ｇｅｎｅｒａｌ  Ｐｕｒｐｏｓｅ  Ｉｎｐｕｔ／Ｏｕｔｐｕｔ）ポートを有し、前記複数の装置と通信を行う集積回路と、
前記２つのＧＰＩＯポートと前記複数の装置との間に介在し、前記集積回路から前記複数の装置のうち第１の装置の電源をオンとするよう指示するための第１の制御信号が前記第１のＧＰＩＯポートから出力されている間は、当該第１の制御信号を前記第１の装置へ伝達し、且つ前記第１の装置から出力された信号を前記第２のＧＰＩＯポートへ伝達し、前記第１の装置の電源をオフとするよう指示するための第２の制御信号が出力されている間は、第２の装置から出力された信号を前記第２のＧＰＩＯポートへ伝達する制御回路とを備える
ことを特徴とする携帯端末。
【請求項２】
前記制御回路は、
前記第２の制御信号が出力されている間は、前記第２の装置からの信号を前記第２のＧＰＩＯポートへ出力し、前記第１の制御信号が出力されている間は、当該第１の制御信号を受け付けることで前記第２の装置からの信号を前記第２のＧＰＩＯポートへ出力することを抑止する第１のバッファＩＣ（Ｉｎｔｅｇｒａｔｅｄ  Ｃｉｒｃｕｉｔ）と、
前記制御信号の値を反転させるインバータＩＣと、
前記第２の制御信号が出力されている間は、前記第１の装置からの信号を前記第２のＧＰＩＯポートへ出力することを抑止し、前記第１の制御信号が出力されている間は、前記インバータＩＣから出力される反転後の信号を受け付けることで前記第２の装置からの信号を前記第２のＧＰＩＯポートへ出力する第２のバッファＩＣとを備える
ことを特徴とする請求項１に記載の携帯端末。
【請求項３】
前記第２の装置は、記録媒体のソケットであり、
当該ソケットは、前記記録媒体が装着されている間は、前記第１のバッファＩＣを介して前記第２のＧＰＩＯポートへ、前記記録媒体が装着されていることを示す信号を出力する
ことを特徴とする請求項２に記載の携帯端末。
【請求項４】
前記第１の装置は、カメラユニットであり、
前記カメラユニットは、前記第１の制御信号により起動している間は、前記第２のバッファＩＣを介して前記第２のＧＰＩＯポートへ、映像の信号を出力する
ことを特徴とする請求項２に記載の携帯端末。
【発明の詳細な説明】
【技術分野】
【０００１】
本発明は、集積回路に備えられたＧＰＩＯ（Ｇｅｎｅｒａｌ  Ｐｕｒｐｏｓｅ  Ｉｎｐｕｔ／Ｏｕｔｐｕｔ）ポートと、複数の装置との接続に関するものである。
【背景技術】
【０００２】
従来、装置が集積回路と接続される際に、ＧＰＩＯポートが不足する場合には、拡張ＧＰＩＯ  ＩＣ等のような共用端子制御装置が用いられている。
例えば、特許文献１では、共用端子制御装置であるポート回路が、ＣＰＵと外部の装置との間に介在し、３２ビット線を介してＣＰＵから信号を受け取っている。３２ビット線を介する信号には、装置の制御に必要な制御信号と、受け取った制御信号の出力先を切り替えるための切替制御信号とが含まれている。ポート回路は、ＣＰＵから受け取った信号を、制御信号と切替制御信号とに分離し、切替制御信号に応じて制御信号の出力先を変更している。
【０００３】
この技術により、ポート回路と複数の装置が接続されている場合において、ＣＰＵから出力された制御信号の出力先を変更することができる。つまり、１つのＧＰＩＯポートと複数の装置との間にポート回路を介在させることで、１つのＧＰＩＯポートを用いてＣＰＵから複数の装置それぞれに対する信号を送信することができる。
【先行技術文献】
【特許文献】
【０００４】
【特許文献１】特開２０００−１８１８９９号公報
【発明の概要】
【発明が解決しようとする課題】
【０００５】
上記特許文献１では、ＣＰＵから信号を出力することについては、１つのＧＰＩＯポートで共用することができるが、複数の装置から出力される信号の入力を１つのＧＰＩＯポートで共用することができない。
そこで、本発明は、複数の装置から出力される信号の入力を１つのＧＰＩＯポートで共用することのできる携帯端末を提供することを目的とする。
【課題を解決するための手段】
【０００６】
上記目的を達成するために、本発明は、携帯端末であって、複数の装置と、第１及び第２のＧＰＩＯ（Ｇｅｎｅｒａｌ  Ｐｕｒｐｏｓｅ  Ｉｎｐｕｔ／Ｏｕｔｐｕｔ）ポートを有し、前記複数の装置と通信を行う集積回路と、前記２つのＧＰＩＯポートと前記複数の装置との間に介在し、前記集積回路から前記複数の装置のうち第１の装置の電源をオンとするよう指示するための第１の制御信号が前記第１のＧＰＩＯポートから出力されている間は、当該第１の制御信号を前記第１の装置へ伝達し、且つ前記第１の装置から出力された信号を前記第２のＧＰＩＯポートへ伝達し、前記第１の装置の電源をオフとするよう指示するための第２の制御信号が出力されている間は、第２の装置から出力された信号を前記第２のＧＰＩＯポートへ伝達する制御回路とを備えることを特徴とする。
【発明の効果】
【０００７】
上記の構成によると、本発明は、複数の装置から出力される信号の入力を１つのＧＰＩＯポートで共用することのできる携帯端末を提供することができる。
【図面の簡単な説明】
【０００８】
【図１】携帯電話機１０の外観を示す図である。
【図２】携帯電話機１０において、ＧＰＩＯポートの共用に係る構成を示すブロック図である。
【図３】携帯電話機１０の動作を示すタイムチャートである。
【発明を実施するための形態】
【０００９】
１．第１の実施の形態
以下、本発明に係る携帯端末の一実施形態である携帯電話機について説明する。
１．１  概要
携帯端末は、例えば、携帯電話機であり、その外観について図１を参照しつつ説明する。図１（ａ）は、本実施の形態における携帯電話機１０の閉状態の斜視図であり、（ｂ）は開状態の斜視図である。また、図１（ｃ）は、携帯型記録媒体（例えば、ＳＤカード）を携帯電話機１０へ装着する手順を示す図である。
【００１０】
携帯電話機１０は筐体１１、１２を備えており、携帯電話機１０は筐体１２に対して筐体１１をスライドさせることで、開閉ができるように構成されている。
筐体１１には、スピーカ部１３と、液晶ディスプレイ（以下、ＬＣＤ（Ｌｉｑｕｉｄ  Ｃｒｙｓｔａｌ  Ｄｉｓｐｌａｙ））などで構成された表示部１４とが配置されている。
筐体１２には、キー操作部１５とマイクロフォン１６とが配置されている。
【００１１】
また、携帯電話機１０は、ＳＤカード２０の着脱が可能である。例えば、ＳＤカード２０の装着の際には、図１（ｃ）に示すように、筐体１２に備えられた蓋１７及び筐体１２の内部に装着された電池１８を取り外す。これにより、ＳＤカード２０を装着するソケット２１が現れる。ＳＤカード２０がソケット２１に装着され、電池１８及び蓋１７の順に取り付ける。これにより、携帯電話機１０からＳＤカード２０を取り外す際には、電池１８を取り外す必要がある。つまりは携帯電話機１０の電源を落さない限りは、ＳＤカード２０を取り外すことはできない構造になっている。
【００１２】
１．２  構成
ここでは、携帯電話機１０において、集積回路の備えられたＧＰＩＯを、複数の装置（ここでは、２つの装置）で共用する構成について説明する。
携帯電話機１０は、図２に示すように、電池１８、ソケット２１、カメラユニット２２、集積回路１００、制御回路１０１及びＬＤＯ（Ｌｏｗ  ＤｒｏｐＯｕｔ）１０２から構成されている。
【００１３】
（１）集積回路１００
集積回路１００は、携帯電話機１０全体の動作を制御するものであって、図２に示すように、電源ＩＣ１１０、リセット回路１１１、ＣＰＵ（Ｃｅｎｔｒａｌ  Ｐｒｏｃｅｓｓｉｎｇ  Ｕｎｉｔ）１１２、ＧＰＩＯポート１１３、１１４から構成されている。
電源ＩＣ１１０は、電池１８から電力の供給を受け、内部の回路及び外部の回路等に動作に必要な電力の供給を行う。
【００１４】
リセット回路１１１は、携帯電話機１０の電源オン時に周辺回路が安定するまでＣＰＵ１１２をリセット状態にし、電源オフ時には瞬時にＣＰＵや周辺ロジックを初期状態に戻す回路である。
ＣＰＵ１１２は、携帯電話機１０の全体の動作を制御する。具体的には、ＣＰＵ１１２は、ＧＰＩＯポート１１３を介して、接続されたソケット２１からの信号を受け取り、さらには、カメラユニット２２の電源がオン状態になっている場合には、カメラユニット２２からの信号を受け取り、処理を行う。また、ＣＰＵ１１２は、ＧＰＩＯポート１１４を介して、ＬＤＯ１０２へハイレベル信号、つまりカメラユニット２２の電源オンとするよう指示するための信号を出力する。
【００１５】
（２）制御回路１０１
制御回路１０１は、ＧＰＩＯポート１１３を、ソケット２１及びカメラユニット２２で共用してＣＰＵ１１２で処理を行うよう、ＣＰＵ１１２へ出力すべき信号の切り替えを行う回路である。
具体的には、制御回路１０１は、図２に示すように、インバータＩＣ１２０及びバッファＩＣ１２１、１２２から構成されている。
【００１６】
インバータＩＣ１２０は、ハイレベル信号が入力されると、ローレベル信号を出力し、ローレベル信号が入力されるとハイレベル信号が出力される。
バッファＩＣ１２１、１２２は、制御端子の入力としてローベル信号を受け付けている間に、他の入力として受け付けた信号を出力するものである。
例えば、図２において、集積回路１００がＧＰＩＯポート１１４からローレベル信号を出力すると、インバータＩＣ１２０からバッファＩＣ１２１の制御端子へ出力される信号はハイレベル信号となり、バッファＩＣ１２１では、カメラユニット２２からの信号が集積回路１００へ出力されることは抑止される。バッファＩＣ１２２では、ＧＰＩＯポート１１４から出力されたローレベル信号が制御端子に入力されるので、ソケット２１からの信号が接続先であるＧＰＩＯポート１１３へ出力される。逆に、集積回路１００がＧＰＩＯポート１１４からハイレベル信号を出力すると、インバータＩＣ１２０からバッファＩＣ１２１の制御端子へ出力される信号はローレベル信号となり、バッファＩＣ１２１では、カメラユニット２２からの信号が集積回路１００のＧＰＩＯポート１１３へ出力される。バッファＩＣ１２２では、ＧＰＩＯポート１１４から出力されたハイレベル信号が制御端子に入力されるので、ソケット２１からの信号の出力は抑止される。
【００１７】
（３）ＬＤＯ１０２
ＬＤＯ１０２は、ＣＰＵ１１２から出力される信号に応じてカメラユニット２２の動作駆動と停止との切替制御が行われる。具体的には、ＬＤＯ１０２は、ハイレベル信号を受信すると、カメラユニット２２を駆動させるために定電流出力を行う。ローレベル信号を受信すると、カメラユニット２２への電源供給を停止する。
【００１８】
（４）ソケット２１
ソケット２１に、ＳＤカード２０が装着されると、装着されたＳＤカード２０と集積回路１００との間でデータの入出力が可能となる。
ソケット２１は、図２に示すように検知部１３０を有している。検知部１３０は、ＳＤカード２０が装着されるとスイッチが閉じる構造になっている。スイッチが閉じると、接続先の一端が接地されているため、電源ＩＣ１１０から出力された電圧より低い、ローレベル信号が制御回路１０１へ入力される。スイッチが開いている間は、電源ＩＣ１１０から出力された電圧と同等の電圧の信号が制御回路１０１へ入力される。
【００１９】
（５）カメラユニット２２
カメラユニット２２は、駆動している間は、一画面の画像データを読み込む度に、読み込んだ画像データを垂直同期信号として制御回路１０１を介して集積回路１００へ出力する。
１．３  動作
ここでは、携帯電話機１０の動作について、図３に示すタイムチャートを用いて説明する。なお、ここでは、ＳＤカード２０は、ソケット２１に装着されているものとする。
【００２０】
携帯電話機１０に対して電源がＯＮされると（時間ｔ０）、電源ＩＣ１１０から出力されるＶＲＥＧ＿ＭＳＭＥ１信号が、ローレベルからハイレベルへと遷移する。
また、ソケット２１にはＳＤカード２０が装着されているので、検知部１３０のスイッチが接続されている。そのため、ソケット２１から制御回路１０１間を流れる信号（ＳＤＣ＿ＤＥＴ／）は常にローレベルとなる。このとき、集積回路１００は、例えば、時間ｔ１のタイミングで、ソケット２１から制御回路１０１間を流れる信号（ＳＤＣ＿ＤＥＴ／）の検出を行う。この場合、ソケット２１にＳＤカード２０が装着されていることを検出することとなる。
【００２１】
集積回路１００から制御回路１０１を介してＬＤＯ１０２へカメラユニット２２の電源をＯＮにするためのハイレベル信号（ＣＡＭ＿ＩＯＶＤＤ＿ＣＮＴ）が出力されると（時間ｔ２）、ＬＤＯ１０２は、カメラユニット２２を駆動させるために定電流出力を行う。
時間ｔ２以降において、バッファＩＣ１２２の制御端子にはハイレベル信号（ＣＡＭ＿ＩＯＶＤＤ＿ＣＮＴ）が入力されているので、バッファＩＣ１２２は、信号（ＳＤＣ＿ＤＥＴ／）を集積回路１００へ伝達することを抑止する。
【００２２】
カメラユニット２２は、一画面の画像データを読み込むと、読み込んだ画像データを信号（ＣＡＭ＿ＶＳＹＮＣ）として制御回路１０１へ出力する（時間ｔ３、ｔ４）。このとき、制御回路１０１では、カメラユニット２２から出力された信号（ＣＡＭ＿ＶＳＹＮＣ）をバッファＩＣ１２１で受信し、ＳＤＣ＿Ｄ＿ＣＡＭ＿Ｖ信号として集積回路１００へ伝達する（時間ｔ３、ｔ４）。
【００２３】
上記構成により、本実施形態では、第１のＧＰＩＯポートから第１の制御信号が第１の装置へ出力されている間は、第１の装置から出力された信号を第２のＧＰＩＯポートへ伝達し、前記第２の制御信号が出力されている間は、第２の装置から出力された信号を前記第２のＧＰＩＯポートへ伝達するので、複数の装置から出力される信号を１つのＧＰＩＯポートで共用することができる。
【００２４】
１．４  変形例
以上、実施の形態に基づいて説明したが、本発明は上記の実施の形態に限られない。例えば、以下のような変形例が考えられる。
（１）上記実施の形態では、１つのＧＰＩＯポートに対して、２つの装置（ソケット、カメラユニット）を共用させたが、これに限定されない。
【００２５】
１つのＧＰＩＯポートを共用する装置は３台以上であってもよい。なお、１つのＧＰＩＯポートを共用する３台以上の装置のうち１台はソケットであるものとする。この場合、集積回路１００は、ソケットを除く残りの装置のうち１台の装置に対して電源をオンとするよう指示するためハイレベル信号を出力している間は、他の装置に対して電源をオンとするよう指示するためハイレベル信号を送信しない。つまり、ソケットを除く残りの装置のうち起動される装置は、常に１台のみである。これにより、集積回路１００は、ソケットを除く残りの装置について２台以上から同時に信号を受け付けることはないので、複数の装置から出力される信号を１つのＧＰＩＯポートで共用することができる。
【００２６】
（２）上記実施の形態において、ソケットと共用する装置としてカメラユニットとしたが、これに限定されない。
集積回路から出力される電源ＯＮの信号により、動作が開始される装置であればよい。
（３）上記実施の形態において、ＳＤカードは、携帯電話機が動作している間は取り外しができないものとしたが、これに限定されない。
【００２７】
携帯電話機は、当該携帯電話機が動作している間であっても、ＳＤカード２０の着脱が可能な構成であってもよい。
（４）上記実施の形態及び変形例を組み合わせるとしてもよい。
２．補足
（１）本発明の一態様である、携帯端末は、複数の装置と、第１及び第２のＧＰＩＯ（Ｇｅｎｅｒａｌ  Ｐｕｒｐｏｓｅ  Ｉｎｐｕｔ／Ｏｕｔｐｕｔ）ポートを有し、前記複数の装置と通信を行う集積回路と、前記２つのＧＰＩＯポートと前記複数の装置との間に介在し、前記集積回路から前記複数の装置のうち第１の装置の電源をオンとするよう指示するための第１の制御信号が前記第１のＧＰＩＯポートから出力されている間は、当該第１の制御信号を前記第１の装置へ伝達し、且つ前記第１の装置から出力された信号を前記第２のＧＰＩＯポートへ伝達し、前記第１の装置の電源をオフとするよう指示するための第２の制御信号が出力されている間は、第２の装置から出力された信号を前記第２のＧＰＩＯポートへ伝達する制御回路とを備えることを特徴とする。
【００２８】
この構成によると、携帯端末の制御回路は、第１のＧＰＩＯポートから第１の制御信号（例えば、上記実施の形態で示す、ＬＤＯ１０２へ出力されるハイレベル信号）が第１の装置へ出力されている間は、第１の装置から出力された信号を第２のＧＰＩＯポートへ伝達し、前記第２の制御信号が出力されている間は、第２の装置から出力された信号を前記第２のＧＰＩＯポートへ伝達するので、複数の装置から出力される信号を１つのＧＰＩＯポートで共用することができる。これにより、携帯端末の集積回路のＧＰＩＯポートの数を削減することができる。
【００２９】
（２）ここで、前記制御回路は、前記第２の制御信号が出力されている間は、前記第２の装置からの信号を前記第２のＧＰＩＯポートへ出力し、前記第１の制御信号が出力されている間は、当該第１の制御信号を受け付けることで前記第２の装置からの信号を前記第２のＧＰＩＯポートへ出力することを抑止する第１のバッファＩＣ（Ｉｎｔｅｇｒａｔｅｄ  Ｃｉｒｃｕｉｔ）と、前記制御信号の値を反転させるインバータＩＣと、前記第２の制御信号が出力されている間は、前記第１の装置からの信号を前記第２のＧＰＩＯポートへ出力することを抑止し、前記第１の制御信号が出力されている間は、前記インバータＩＣから出力される反転後の信号を受け付けることで前記第２の装置からの信号を前記第２のＧＰＩＯポートへ出力する第２のバッファＩＣとを備えるとしてもよい。
【００３０】
この構成によると、バッファＩＣとインバータＩＣとを組み合わせることで、複数の装置から出力される信号を１つのＧＰＩＯポートで共用することができる。
（３）ここで、前記第２の装置は、記録媒体のソケットであり、当該ソケットは、前記記録媒体が装着されている間は、前記第１のバッファＩＣを介して前記第２のＧＰＩＯポートへ、前記記録媒体が装着されていることを示す信号を出力するとしてもよい。
【００３１】
この構成によると、ＧＰＩＯポートを共用する第２の装置を記録媒体のソケットとし、共用するＧＰＩＯポートへ出力する信号として、記録媒体が装着の有無を示す信号とすることで、１つのＧＰＩＯポートを共用することの弊害が少なくなる。なぜなら、携帯端末は、一度記録媒体の装着の有無を検知すると、その後検知に変化が生じるまでは、ソケットから出力される信号を用いることはないので、第１の装置から出力された信号を受け付けても、ソケットからの信号を受け付けないことによる弊害はない。
【００３２】
（４）ここで、前記第１の装置は、カメラユニットであり、前記カメラユニットは、前記第１の制御信号により起動している間は、前記第２のバッファＩＣを介して前記第２のＧＰＩＯポートへ、映像の信号を出力するとしてもよい。
この構成によると、ＧＰＩＯポートを共用する第１の装置をカメラユニットとし、カメラユニットに電源がオンとなっている間は、共用するＧＰＩＯポートを占有するので、映像の信号を逐次出力することができる。
【産業上の利用可能性】
【００３３】
本発明は、集積回路が有するＧＰＩＯポートに複数の装置を接続して、各装置の制御を行う携帯端末に有用である。
【符号の説明】
【００３４】
１０    携帯電話機
１１、１２    筐体
１３    スピーカ部
１４    表示部
１５    キー操作部
１６    マイクロフォン
１７    蓋
１８    電池
２０    ＳＤカード
２１    ソケット
２２    カメラユニット
１００    集積回路
１０１    制御回路
１０２    ＬＤＯ
１１０    電源ＩＣ
１１１    リセット回路
１１２    ＣＰＵ
１１３、１１４    ＧＰＩＯポート
１２０    インバータＩＣ
１２１、１２２    バッファＩＣ
１３０    検知部
【図１】
2013046272.tif 000003
【図２】
2013046272.tif 000004
【図３】
2013046272.tif 000005